(57)【要約】  【課題】パワーキャリブレーション領域（ＰＣＡ）を有する書き換え可能型の光ディスクに情報を記録する光ディスク装置において、記録動作中の最適パワー調整に関連する所要時間を最小限の短時間として、記録先の光ディスク上に記録の部分的な欠落（画途切れ）が生じるのを防止する。  【解決手段】制御手段は、光ディスクが装着されたことを、ディスク装着検出センサからの光ディスク有りの信号を受信することによって検知したら（Ｓ１でＹＥＳ）、光ピックアップをＰＣＡへとシーク移動させる（Ｓ２）。そして、ＰＣＡ内に最適パワー調整（ＯＰＣ）を行うための空きスペース（未使用領域）が５回分残っているかどうかを検出し（Ｓ３）、空きスペースがＯＰＣを５回分行う量残っていない場合には、続けてＰＣＡ内の試し書きデータを全て消去し（Ｓ４）、残っている場合には、消去動作を行うことなく、残りの空きスペースを用いて最適パワー調整を行う（Ｓ５）。【選択図】図２
2006127577.tif 000002
【特許請求の範囲】
【請求項１】
最適な記録パワーを調整するためのパワーキャリブレーション領域（ＰＣＡ）を有する書き換え可能型の光ディスクに情報を記録する光ディスク装置において、
光ディスクが装着されたことを検出する光ディスク装着検出手段と、
前記光ディスク装着検出手段により光ディスクの装着が検出された時に、光ピックアップを前記パワーキャリブレーション領域に移動させる光ピックアップ移動手段と、
前記光ピックアップ移動手段によって前記パワーキャリブレーション領域に移動された光ピックアップから光ディスクへレーザ光を照射することにより、前記パワーキャリブレーション領域の未使用領域が、５回程度の最適記録パワーを調整するためのパワーキャリブレーション動作を行える量以上残っているかどうかを検出するパワーキャリブレーション可能領域検出手段と、
前記パワーキャリブレーション可能領域検出手段による検出の結果、未使用領域が前記の量以上残っていない場合に、光ピックアップから光ディスクへレーザ光を照射させて前記パワーキャリブレーション領域の試し書きデータを消去する試し書きデータ消去手段とを備え、
光ディスクの装着時に、パワーキャリブレーション領域の未使用領域が前記の量以上残っていなければ、その時点で、パワーキャリブレーション領域の試し書きデータを消去することを特徴とする光ディスク装置。
【請求項２】
最適な記録パワーを調整するためのパワーキャリブレーション領域（ＰＣＡ）を有する書き換え可能型の光ディスクに情報を記録する光ディスク装置において、
パワーキャリブレーション領域に移動された光ピックアップから光ディスクへレーザ光を照射することにより、パワーキャリブレーション領域の未使用領域が所定量以上残っているかどうかを検出するパワーキャリブレーション可能領域検出手段と、
前記パワーキャリブレーション可能領域検出手段による検出の結果、未使用領域が前記所定量以上残っていない場合に、光ピックアップから光ディスクへレーザ光を照射させて前記パワーキャリブレーション領域の試し書きデータを消去する試し書きデータ消去手段とを備え、
光ディスクの装着後、装着した光ディスクへの記録コマンドが入力されるまでの間に、パワーキャリブレーション領域の未使用領域の量を検出し、未使用領域が前記所定量以上残っていなければ、その時点で、パワーキャリブレーション領域の試し書きデータを消去することを特徴とする光ディスク装置。
【請求項３】
前記所定量が、最適な記録パワーを調整するためのパワーキャリブレーション動作が５回程度可能である量である請求項２に記載の光ディスク装置。
【発明の詳細な説明】
【技術分野】
【０００１】
本発明は、最適な記録パワーを調整するためのパワーキャリブレーション領域（ＰＣＡ）を有する書き換え可能型の光ディスクに情報を記録する光ディスク装置に関する。
【背景技術】
【０００２】
ＤＶＤ−Ｒ、ＤＶＤ−ＲＷ等の記録型光ディスクには、記録時のレーザ光のパワーを最適値に調整するための試し書き領域（パワーキャリブレーション領域）が設けてあり、このパワーキャリブレーション領域（以下、ＰＣＡという）に異なったパワーのレーザ光で試し書きをし、それを再生することにより最適パワーを検出できるようになっている。そして、ＤＶＤ−ＲＷ等の書き換え可能型の光ディスクでは、このＰＣＡへの試し書きを行ったデータも消去することができるようになっており、最適パワー調整を繰返した結果、試し書きのためのＰＣＡの空きスペース（未使用領域）がなくなった場合には、ＰＣＡ内の試し書きデータを消去して空きスペースを作成でき、最適パワー調整が不可能になってしまわないようにしている。
【０００３】
上記ＰＣＡ内のデータを消去する技術に関連して、テストエリアに記録された試し書きのデータを確実に消去するために、一回消去した後に、その消去した部分の再生を行い、ＨＦ信号が検出された場合には、消去が不完全であったとして再度消去動作を行う技術が知られている（特許文献１参照）。
【０００４】
また、ＰＣＡを一旦使い切った後ＰＣＡの全領域の試し書きデータを消去し、次にパワーキャリブレーションを行う際に、ＰＣＡ内の使用する領域をランダムに選んだ場合は、ＰＣＡ内で使用回数が異なる領域が生じ、使用回数がオーバーした領域ではパワーキャリブレーションの精度が落ちる虞があり、これを解消するために、パワーキャリブレーションの実施の度に、使用した領域の先頭アドレスからディスクの内周側にかけて、一定の区間を消去する技術が知られている（特許文献２参照）。
【特許文献１】特開２００２−２９８３７６号公報
【特許文献２】特開２００３−２７２１５７号公報
【発明の開示】
【発明が解決しようとする課題】
【０００５】
上述のように書き換え可能型光ディスクの場合には、最適パワー調整のために使用できるＰＣＡの使用回数に実質的な制限がなく、長期間に亘って常に良好な状態で光ディスクへの映像等の記録が行える利点があるが、ＰＣＡ内の試し書きデータの消去処理は、光ディスク装置の動作状態の如何に関わらず、必要が生じた時に行うようになっているので（つまり、ＰＣＡ内の空きスペースがなくなった時点でその都度行われていたので）、場合によって次のような不具合が発生していた。
【０００６】
具体的な説明の前提として、本発明で扱う光ディスク装置の概略を図５に基づいて簡単に説明する。図５に示した光ディスク装置５０は、ＤＶＤ−ＲＷ等の書き換え可能型光ディスク５１に映像情報等の情報を記録する光ディスク装置５０であって、テレビジョン受信機５２に接続してある。テレビジョン受信機５２から入力されたテレビジョン放送信号は、デジタル処理を行うバックエンド部５３及びフロントエンド部５４を介して光ディスク記録・再生部５５に入力され、光ピックアップ５６からのレーザ光照射によって光ディスク５１にデジタル信号として記録されるようになっている。テレビジョン放送信号はストリームデータであって、光ディスク記録・再生部５５における光ディスク５１への記録速度の変動をカバーするためにバックエンド部５３及びフロントエンド部５４には、それぞれデータを蓄積しうるバッファ５７、５８が設けてある。
【０００７】
この光ディスク装置５０において、テレビジョン放送の所望の番組を光ディスク５１へ録画する場合に、その番組録画中に光ピックアップ５６の最適パワー調整が必要になった状態を想定すると次のようになる。すなわち、光ピックアップ５６は一旦、光ディスク５１への記録動作を中止し、記録動作中の現在トラックからＰＣＡ（光ディスク５１の最内周側にある）へシーク移動し、そこで再びレーザ光を照射することによって、まずＰＣＡ内の未使用領域があるかどうかを検出する。そして、充分な未使用領域がある場合には、直ちにその未使用領域で試し書きとデータの再生を行って最適パワーの調整を行い、充分な未使用領域が残っていない場合には、ＰＣＡ内のデータの消去動作を行ってＰＣＡ内に充分な空きスペース（使用可能領域）を確保した上で、最適パワーの調整を行うようになる。ここで、後者の場合（消去動作を行う場合）には、光ピックアップ５６のＰＣＡへのシーク移動が開始されてから最適パワーの調整が終わり、光ピックアップ５６が元のトラックに戻って再び記録動作が再開されるまでには通常３０秒程度の時間を要し、なかでもＰＣＡ内のデータの消去動作には２０秒程度の時間を要している。
【０００８】
上記の光ディスク５１への記録が中断している間、テレビジョン放送信号のストリームデータはバッファ５７、５８によって蓄積されるが、バッファ５７、５８の容量が少なかったり、消去動作に長時間を要して記録の中断時間が延びた場合には、バッファ５７、５８に蓄積しきれないストリームデータが発生し、その分は結局光ディスク５１には記録されず、画途切れ（録画の部分的な欠落）となる。
【０００９】
なお、最適パワーの調整は、光ディスクへの記録品質が低下しないように、光ディスク装置の種々の状態変化に応じて自動的に行われるようになっているので、テレビジョン放送の番組を記録している途中で最適パワーの調整動作が自動的に開始されることは比較的多く発生する事象である。つまり、一般的に最適パワー調整が行われる光ディスク装置の状態変化としては、光ピックアップの周囲温度が所定温度（例えば５度）上昇（又は下降）する変化や、光ピックアップの光ディスクに対する径方向位置の変化等がある。温度上昇に伴う最適パワーの調整は、レーザ光源である半導体の特性変化を補償するためであり、光ピックアップの径方向移動に伴う最適パワーの調整は、光ディスク自身の径方向における反射率等の特性が変化することを補償するためのものである。
【００１０】
本発明は、上記の事情に基づいて創案されたものであり、ＰＣＡを有する書き換え可能型の光ディスクに情報を記録する光ディスク装置において、記録動作中に最適パワー調整の必要が生じて、光ピックアップがＰＣＡへと移動し、試し書きを行う際に、試し書きのための充分な未使用領域が残っていないという事態を防止し、最適パワー調整に先立つ使用可能領域（空きスペース）確保のためのデータ消去動作が生じないようにして、結果記録動作中の最適パワー調整に関連する所要時間全体を最小限の短時間とし、光ディスク上で上記画途切れ（記録の部分的な欠落）が生じるのを防止しうる光ディスク装置を提供することを目的とする。
【課題を解決するための手段】
【００１１】
上記目的を達成するための請求項１の発明は、最適な記録パワーを調整するためのパワーキャリブレーション領域（ＰＣＡ）を有する書き換え可能型の光ディスクに情報を記録する光ディスク装置において、光ディスクが装着されたことを検出する光ディスク装着検出手段と、前記光ディスク装着検出手段により光ディスクの装着が検出された時に、光ピックアップを前記パワーキャリブレーション領域に移動させる光ピックアップ移動手段と、前記光ピックアップ移動手段によって前記パワーキャリブレーション領域に移動された光ピックアップから光ディスクへレーザ光を照射することにより、前記パワーキャリブレーション領域の未使用領域が、５回程度の最適記録パワーを調整するためのパワーキャリブレーション動作を行える量以上残っているかどうかを検出するパワーキャリブレーション可能領域検出手段と、前記パワーキャリブレーション可能領域検出手段による検出の結果、未使用領域が前記の量以上残っていない場合に、光ピックアップから光ディスクへレーザ光を照射させて前記パワーキャリブレーション領域の試し書きデータを消去する試し書きデータ消去手段とを備え、光ディスクの装着時に、パワーキャリブレーション領域の未使用領域が前記の量以上残っていなければ、その時点で、パワーキャリブレーション領域の試し書きデータを消去するものである。
【００１２】
請求項２の発明は、最適な記録パワーを調整するためのパワーキャリブレーション領域（ＰＣＡ）を有する書き換え可能型の光ディスクに情報を記録する光ディスク装置において、パワーキャリブレーション領域に移動された光ピックアップから光ディスクへレーザ光を照射することにより、パワーキャリブレーション領域の未使用領域が所定量以上残っているかどうかを検出するパワーキャリブレーション可能領域検出手段と、前記パワーキャリブレーション可能領域検出手段による検出の結果、未使用領域が前記所定量以上残っていない場合に、光ピックアップから光ディスクへレーザ光を照射させて前記パワーキャリブレーション領域の試し書きデータを消去する試し書きデータ消去手段とを備え、光ディスクの装着後、装着した光ディスクへの記録コマンドが入力されるまでの間に、パワーキャリブレーション領域の未使用領域の量を検出し、未使用領域が前記所定量以上残っていなければ、その時点で、パワーキャリブレーション領域の試し書きデータを消去するものである。
【００１３】
請求項３の発明は、請求項２の発明において、前記所定量が、最適な記録パワーを調整するためのパワーキャリブレーション動作が５回程度可能な量である光ディスクである。
【発明の効果】
【００１４】
請求項１の発明によれば、最適な記録パワーを調整するためのＰＣＡを有する書き換え可能型の光ディスクに情報を記録する光ディスク装置において、光ディスクの装着時に、パワーキャリブレーション領域の未使用領域が、５回程度の最適記録パワー調整を行える量以上残っていなければ、その時点で、パワーキャリブレーション領域の試し書きデータを消去するようにしたので、記録動作中に最適パワー調整の必要が生じて、光ピックアップがＰＣＡへと移動し、試し書きを行う際に、試し書きのための充分な空きスペースが残っていないという事態が生じず、ＰＣＡへと移動した光ピックアップは直ちに最適パワー調整処理を開始でき、記録動作中の最適パワー調整に関連する所要時間全体が短時間となって、その間のバッファに蓄積されるデータ量を極力小にでき、したがって、光ディスク上の記録中にデータの部分的な欠落が生じてしまうことが防止できる。また、ＰＣＡの未使用領域の量の検出と試し書きデータの消去処理を共に光ディスクの装着時に行うので、その後のユーザからの再生コマンド等の指示入力に基づく動作に支障が生じない。
【００１５】
請求項２及び請求項３の発明によれば、最適な記録パワーを調整するためのＰＣＡを有する書き換え可能型の光ディスクに情報を記録する光ディスク装置において、記録動作中に最適パワー調整の必要が生じて、光ピックアップがＰＣＡへと移動し、試し書きを行う際に、試し書きのための充分な空きスペースが残っていないという事態が生じず、ＰＣＡへと移動した光ピックアップは直ちに最適パワー調整処理を開始でき、記録動作中の最適パワー調整に関連する所要時間全体が短時間となって、その間のバッファに蓄積されるデータ量を極力小にでき、したがって、光ディスク上の記録中にデータの部分的な欠落が生じてしまうことが防止できる。
【発明を実施するための最良の形態】
【００１６】
本発明を実施するための最良の形態について図面を参照して説明する。以下の実施形態では、ＰＣＡを有する光ディスクとしてＤＶＤ−ＲＷを装着し、そのＤＶＤ−ＲＷへと映像情報等の種々の情報が記録可能であって、かつそのＤＶＤ−ＲＷに記録された情報の再生が可能であるＤＶＤレコーダに本発明を適用した場合の例について説明する。
【００１７】
図１は、本実施形態のＤＶＤレコーダ１の電気的ブロック構成図である。本実施形態のＤＶＤレコーダ１は、ターンテーブル２上に装着した光ディスク３を回転駆動するスピンドルモータ４と、光ピックアップ５を光ディスク３の径方向において移動させるスレッドモータ６と、各モータ４、６を駆動するドライバ７、８とを備えている。また、光ピックアップ５内には半導体レーザ光源９から出射されるレーザ光の焦点を光ディスク３上の所定のトラックに合わせるためのフォーカッシングアクチュエータ（不図示）とトラッキングアクチュエータ（不図示）を備えており、各アクチュエータを駆動するドライバ１０が備えられている。ドライバ７、ドライバ８及びドライバ１０は、それぞれサーボプロセッサ１１に接続されている。
【００１８】
そして、半導体レーザ光源９は、レーザ制御部１２を介してマイクロコンピュータからなる制御手段１３により、そのレーザ光強度（レーザパワー）を増減調整されるようになっている。制御手段１３は、サーボプロセッサ１１を制御すると共に、光ピックアップ５から出力されるＲＦ信号がＲＦアンプ１４を介して入力される。また、ターンテーブル２上の光ディスク３の有無を検出するディスク装着検出センサ１５が備えられ、このセンサ１５からの検出信号が制御手段１３に入力され、制御手段１３が光ディスク３の装着を認識できるようになっている。なお、本実施形態では、ディスク装着検出センサ１５を用いて光ディスク３の装着を検出するように構成したが、光ピックアップ５から照射するレーザ光が装着された光ディスク３面によって反射され、その反射光の有無を感知することによって光ディスク３の装着を検出するようにしてもよく、光ディスク３の装着を検出する手段としては種々のものが可能である。
【００１９】
次に、光ディスク３が装着された時に、制御手段１３が実行する最適パワー調整の処理手順について、図２のフローチャートに基づいて説明する。制御手段１３は、ディスク装着検出センサ１５からの光ディスク有りの信号（光ディスクの装着の検出信号）を受信したら（Ｓ１でＹＥＳ）、サーボプロセッサ１１へ信号を発信して、スレッドモータ６を駆動し、光ピックアップ５をＰＣＡへとシーク移動させる（Ｓ２）。ＰＣＡは光ディスク３の最内周に形成されており、ＤＶＤ−ＲＷの場合、試し書きデータはＰＣＡの外周側から記録されていく。これを図３に模式的に示す。ＰＣＡには、通常１００回程度の最適パワー調整を行えるスペースが確保されており、図３の場合は４０％程度使用され、６０％の空きスペース（最適パワー調整６０回分の未使用領域Ｐａ）が残っている状態を示す。
【００２０】
ＰＣＡへとシーク移動された光ピックアップ５は、次に、ＰＣＡ内に最適パワー調整（ＯＰＣ）を行うための空きスペースが５回分残っているかどうかを検出する（Ｓ３）。つまり、光ピックアップ５は、図３で示すＰＣＡの最内周位置から外周へシーク移動しつつレーザ光を光ディスク３面に照射し、その反射光によって、ＰＣＡ内のデータが書き込まれていない領域（未使用領域）Ｐａと既にデータが書き込まれた領域Ｐｂを区分して検出する。本実施形態の場合は、最適パワー調整５回分の空きスペース（未使用領域）Ｐａが残っているかどうかを検出するので、ＰＣＡ全体に対して５％の領域が空きスペースＰａとして残っているかどうかを検出することになる。なお、残りの空きスペースＰａが最適パワー調整の何回分必要であるかは、５回に限らず適宜設定することが可能である。本実施形態における５回分が好ましい理由については、後述する。
【００２１】
ステップＳ３の判断がＮＯであった場合には、ＰＣＡ内の試し書きデータを全て消去し（Ｓ４）、ＹＥＳであった場合には、消去動作を行うことなく、残りの空きスペースＰａを用いて最適パワー調整を行う（Ｓ５）。ＰＣＡ内の試し書きデータの消去動作は、光ピックアップ５がＰＣＡの全領域に亘ってシーク移動しつつ、記録時と同等強度のレーザ光を光ディスク３面に照射することによって行われる。したがって、ステップＳ４の消去動作が行われた後は、ＰＣＡ内の全領域が最適パワー調整に使用可能な領域（空きスペース）となる。
【００２２】
以上のように、本実施形態では、光ディスク３が装着された時点で、ＰＣＡ内の未使用領域Ｐａが最適パワー調整を５回行える量残っているかどうか検出し、残っている場合はその未使用領域Ｐａを用いて最適パワー調整を行い、残っていない場合は続けて試し書きデータの消去を行うので、その後に、テレビジョン放送等の記録を行う時の処理は次のようになる。
【００２３】
今、本実施形態のＤＶＤレコーダ１が図５で示したようなテレビジョン受信機に接続してあるとして、ユーザがテレビジョン放送の番組の録画を希望し、リモコン等を操作して記録コマンドを入力したとすると、光ピックアップ５は光ディスク３の内周側から外周側へと移動しつつ光ディスク（ＤＶＤ−ＲＷ）へデジタル記録を行う。そして、この記録動作中に光ピックアップ５の周囲温度が摂氏５度上昇する度に、ＤＶＤレコーダ１内の温度センサ（不図示）がそれを検出して、記録動作を一時中断し、光ピックアップ５をＰＣＡへ移動した上で最適パワー調整を行い、記録動作に伴って光ピックアップ５の位置が光ディスク３の径方向上で所定の距離移動する度（アドレスが変わる度）にも、記録動作を一時中断して最適パワー調整を行う。
【００２４】
この記録動作時の処理について図４のフローチャートに沿って簡単に説明する。つまり、光ピックアップ５の周囲温度が摂氏５度以上上昇した場合（Ｓ１１でＹＥＳ）、及び光ピックアップ５の位置が所定距離以上移動した場合（Ｓ１２でＹＥＳ）には、光ピックアップ５をＰＣＡへ移動して最適パワー調整を実行し（Ｓ１３）、調整が終了すれば光ピックアップ５を再び記録トラック位置へと戻す（Ｓ１４）。以上の説明でも明らかなように、光ディスク３への記録が進行していくと、各部の動作に伴う発熱によってＤＶＤレコーダ１内部は徐々に温度上昇するし、光ピックアップ５の位置は移動するので、１枚の光ディスク（ＤＶＤ−ＲＷ）３へ映像情報を記録すると、通常５回程度の最適パワー調整の機会が発生する。なお、上記例においては、光ピックアップ５の周囲温度が摂氏５度以上上昇する毎に最適パワー調整を実行して、半導体レーザ光源の温度による特性変化を補償するようにしているが、この温度設定は、例えば３度、６度等の他の温度設定でもよい。
【００２５】
ところが、本実施形態のＤＶＤレコーダ１では、光ディスク３の装着時に、少なくとも５回分の最適パワー調整のための未使用領域Ｐａが確保されるので、その後ユーザにより記録コマンドが入力されて図４のフローチャートに示した処理が開始され、ステップＳ１３における最適パワー調整が実行される際に、消去動作は必要ないので、記録動作が中断される時間が、光ピックアップ５の移動に要する時間と、最適パワー調整（ＯＰＣ）に要する時間を足しただけの最小限の時間になされ、記録動作中断時の記録すべきデータはＤＶＤレコーダ１内のバッファに充分蓄積されるので、光ディスク３への記録が部分的に欠落する事態が生じない。
【００２６】
なお、以上の実施形態では、光ディスク３が装着されたことを検出して、その装着時に少なくとも５回分の最適パワー調整を行える未使用領域Ｐａを確保するようにしたので、つまり、光ディスク装着時に、未使用領域の確保のための一連の動作を終えてしまうので、その後に、ユーザがリモコン等を用いて種々の動作指示を光ディスク装置１に与えた場合に、その動作が試し書きデータの消去動作等によって干渉されるといった支障が生じない。
【００２７】
さらに、以上の実施形態では、光ディスク３が装着されたことを検出して、その装着時に少なくとも５回分の最適パワー調整を行える未使用領域Ｐａを確保するようにしたが、ＰＣＡ内の未使用領域Ｐａの量を所定量確保する動作（未使用領域の量が所定量以上でない場合にはＰＣＡ内の試し書きデータを消去する動作）は、光ディスク３が装着されてから、ユーザによって記録コマンドが入力され記録動作が始まるまでの期間であれば、どの時点で行われてもよい。
【図面の簡単な説明】
【００２８】
【図１】本発明の一実施形態に係る、ＤＶＤレコーダの電気的ブロック構成を示す図。
【図２】上記ＤＶＤレコーダの光ディスク装着時における最適パワー調整処理のフローチャート。
【図３】同ＤＶＤレコーダに装着される光ディスクのＰＣＡを示す図。
【図４】同ＤＶＤレコーダによる記録時の最適パワー調整処理手順を示すフローチャート。
【図５】一般的な光ディスク装置の使用態様を示す図。
【符号の説明】
【００２９】
１  ＤＶＤレコーダ
３  光ディスク
５  光ピックアップ
６  スレッドモータ
１１  サーボプロセッサ
１２  レーザ制御部
１３  制御手段（パワーキャリブレーション可能領域検出手段、試し書きデータ消去手段）
１５  ディスク装着検出センサ
Ｐａ  未使用領域
Ｐｂ  データが書き込まれた領域
ＰＣＡ  パワーキャリブレーション領域
【図１】
2006127577.tif 000003
【図２】
2006127577.tif 000004
【図３】
2006127577.tif 000005
【図４】
2006127577.tif 000006
【図５】
2006127577.tif 000007